(57)【要約】【課題】バックアップ時の電気負荷同士の不整合を防止する。【解決手段】複数の電気負荷１４は、バックアップ対象となる電気負荷１８ａ〜１８ｎと、バックアップ対象外となる電気負荷２０ａ〜２０ｎに区分けされている。車載電源１０の電圧低下時、バックアップ対象外の電気負荷２０ａ〜２０ｎには、車載電源１０から作動電圧が供給されず、通常動作を行えない状態になる。一方、バックアップ対象の電気負荷１８ａ〜１８ｎには、車載電源バックアップ装置１６からバックアップ電圧として半作動電圧、例えば、非作動電圧＜半作動電圧＜作動電圧が供給される。半作動電圧が供給された電気負荷１８ａ〜１８ｎは、通常動作を行わず、他の電気負荷との関係において互いに動作の不整合を生じさせない整合処理のみ行う。これにより、バックアップ対象外の電気負荷２０ａ〜２０ｎとの動作の不整合を防止することができる。【選択図】図１
2006327479.tif 000002
【特許請求の範囲】
【請求項１】
エンジン始動モータ及び複数の電気負荷に電圧を供給する車載電源のための車載電源バックアップ装置であって、
車載電源が複数の電気負荷に作動電圧を供給不可能な状態を識別する電源状態識別手段と、
前記電源状態識別手段が前記供給不可能な状態を識別した場合に、バックアップ対象となる少なくとも１つの電気負荷に対して、車載電源から供給される電圧に基づいて所定のバックアップ電圧を供給する電源バックアップ手段と、
を備え、
前記所定のバックアップ電圧は、電気負荷が所定の作動電圧に基づく通常動作を行えない電圧であって、他の電気負荷との関係において互いに動作の不整合を生じさせない整合処理のみ可能な半作動電圧であることを特徴とする車載電源バックアップ装置。
【請求項２】
請求項１に記載の車載電源バックアップ装置であって、
前記電源状態識別手段は、車載電源からエンジン始動モータに電源電圧が供給されるときに、前記供給不可能な状態と識別することを特徴とする車載電源バックアップ装置。
【請求項３】
請求項１又は２に記載の車載電源バックアップ装置であって、
バックアップ対象となる総ての電気負荷に対して、前記所定のバックアップ電圧を供給することを特徴とする車載電源バックアップ装置。
【請求項４】
請求項１又は２に記載の車載電源バックアップ装置であって、
バックアップ対象の電気負荷のうち、他の電気負荷と関連せず単独で通常動作を動作可能な電気負荷に対しては、その電気負荷が通常動作を行う所定の作動電圧を供給することを特徴とする車載電源バックアップ装置。
【請求項５】
請求項１〜４の何れか１項に記載の車載電源バックアップ装置であって、
前記所定のバックアップ電圧は、その電気負荷が通常動作を動作可能な所定の作動電圧より小さくその電気負荷が動作不可能な非作動電圧より大きい半作動電圧であることを特徴とする車載電源バックアップ装置。
【請求項６】
請求項１〜３又は５の何れか１項に記載の車載電源バックアップ装置であって、
所定のバックアップ電圧が供給される電気負荷は、２つの動作モードを有し、所定の作動電圧に基づいて通常動作を行う通常動作モードと、前記半作動電圧に基づいて、他の電気負荷との関係において互いに動作の不整合を生じさせない整合処理を行う整合処理モードと、を有することを特徴とする車載電源バックアップ装置。
【請求項７】
車載電源と、
車載電源から電源電圧が供給されるエンジン始動モータと、
車載電源に基づいて作動電圧が供給される複数の電気負荷と、
車載電源からエンジン始動モータに電源電圧が供給されることにより、車載電源が複数の電気負荷に作動電圧を供給不可能な状態を識別する電源状態識別手段と、
前記電源状態識別手段が、前記供給不可能な状態を識別した場合に、車載電源から供給される電圧に基づいて所定のバックアップ電圧を供給する電源バックアップ手段と、
を備え、
前記複数の電気負荷は、電源バックアップ手段のバックアップ対象となるバックアップ対象の電気負荷と、電源バックアップ手段のバックアップ対象外となるバックアップ対象外の電気負荷と、に区分けされており、
前記電源バックアップ手段は、バックアップ対象となる電気負荷に対して所定のバックアップ電圧を供給し、
前記所定のバックアップ電圧が供給される電気負荷は、２つの動作モードを有し、所定の作動電圧に基づいて通常動作を行う通常動作モードと、他の電気負荷との関係において互いに動作の不整合を生じさせない整合処理を行う整合処理モードと、を有することを特徴とする車載電気システム。
【発明の詳細な説明】
【技術分野】
【０００１】
本発明は、車載電源バックアップ装置及び車載電気システム、特に、車載電源が複数の電気負荷に作動電圧を供給不可能になった場合の車載電源のバックアップの改良に関する。
【背景技術】
【０００２】
従来から、車両が信号待ち等で停車した場合に、燃料消費量の節減及びエミッションの低減を目的としてエンジンを一時的に自動停止させるアイドルストップ運転が実用化されている。このアイドルストップ運転では、エンジン停止条件が成立し、かつ、車両が停止中であると推測されるときにエンジンが自動停止される。そして、その後、エンジン始動条件が成立したときに、エンジンがスタータにより自動始動されて車両は発進する。
【０００３】
このスタータによるエンジンの再始動には、かなりの消費電力が必要なことから、車両の停止・発進が繰り返される市街地走行等では、エンジンの始動頻度の増加とともに電源であるバッテリの消耗が甚だしくなる。
【０００４】
なお、このバッテリは、ＥＣＵやオーディオ／ナビゲーション等の複数の電気負荷にも電圧を供給しているので、エンジン再始動時にバッテリが消耗すると、電気負荷へ電圧が供給できないという問題が生じる。
【０００５】
この問題を解決するため、特許文献１には、バッテリ電圧が低下した場合、バッテリから供給される電圧を昇圧し、電気負荷に対する電圧の供給を補償することが開示されている。
【０００６】
【特許文献１】特開２００２−０３８９８４号公報
【特許文献２】特開２００４−０９２５６４号公報
【特許文献３】特開２００２−２００９４８号公報
【発明の開示】
【発明が解決しようとする課題】
【０００７】
しかしながら、特許文献１のように、車両に搭載された総ての電気負荷に電圧を補償しようとすると、バックアップ装置が大型化し、コストがかかるという問題がある。また、バッテリ電圧が大きく低下した場合には、車両に搭載された総ての電気負荷に対して十分に電圧を昇圧できないことも生じ、車両に搭載される各種の電気負荷の駆動をうまく制御できないという問題がある。
【０００８】
そこで、特許文献２，３は、複数の電気負荷のうち、重要な電気負荷や走行系に関する電気負荷に、優先的に電圧を供給してバックアップを行う。すなわち、電圧補償を行うバックアップ対象の電気負荷とバックアップ対象外の電気負荷に区分けし、バックアップ対象の電気負荷のみに電圧を補償する。
【０００９】
しかしながら、特許文献２，３のように、バックアップ対象を限定すると、以下の様な問題が懸念される。すなわち、ＥＣＵがバックアップ対象の電気負荷で、ＥＣＵに検知信号を供給するセンサ等がバックアップ対象外となった場合、バックアップ時、電圧が供給されないセンサはＥＣＵに何ら検知信号を供給することができない。従って、電圧が供給され通常動作が可能なＥＣＵは、センサからの検知信号がないとして誤った判定をしたりセンサが故障していると判定してしまう可能がある。このように、バックアップ対象の電気負荷とバックアップ対象外の電気負荷との間で不整合な処理が行われてしまう可能性がある。
【００１０】
そこで本発明は、上記課題を解決するためになされたもので、複数の電気負荷に対して、電源をバックアップするバックアップ対象とバックアップ対象外に分けた場合において、他の電気負荷との関係において整合がとれるようにバックアップを行うことを目的とする。
【課題を解決するための手段】
【００１１】
本発明の車載電源バックアップ装置は、エンジン始動モータ及び複数の電気負荷に電圧を供給する車載電源のための車載電源バックアップ装置であって、車載電源が複数の電気負荷に作動電圧を供給不可能な状態を識別する電源状態識別手段と、電源状態識別手段が供給不可能な状態を識別した場合に、バックアップ対象となる少なくとも１つの電気負荷に対して、車載電源から供給される電圧に基づいて所定のバックアップ電圧を供給する電源バックアップ手段と、を備え、所定のバックアップ電圧は、電気負荷が所定の作動電圧に基づく通常動作を行えない電圧であって、他の電気負荷との関係において互いに動作の不整合を生じさせない整合処理のみ可能な半作動電圧であることを特徴とする。
【００１２】
また、本発明の車載電源バックアップ装置であって、電源状態識別手段は、車載電源からエンジン始動モータに電源電圧が供給されるときに、供給不可能な状態と識別することを特徴とする。
【００１３】
更に、本発明の車載電源バックアップ装置であって、バックアップ対象となる総ての電気負荷に対して、所定のバックアップ電圧を供給することを特徴とする。
【００１４】
更に、本発明の車載電源バックアップ装置であって、バックアップ対象の電気負荷のうち、他の電気負荷と関連せず単独で通常動作を動作可能な電気負荷に対しては、その電気負荷が通常動作を行う所定の作動電圧を供給することを特徴とする。
【００１５】
更に、本発明の車載電源バックアップ装置であって、所定のバックアップ電圧は、その電気負荷が通常動作を動作可能な所定の作動電圧より小さくその電気負荷が動作不可能な非作動電圧より大きい半作動電圧であることを特徴とする。
【００１６】
更に、本発明の車載電源バックアップ装置であって、所定のバックアップ電圧が供給される電気負荷は、２つの動作モードを有し、所定の作動電圧に基づいて通常動作を行う通常動作モードと、半作動電圧に基づいて、他の電気負荷との関係において互いに動作の不整合を生じさせない整合処理を行う整合処理モードと、を有することを特徴とする。
【００１７】
本発明の車載電気システムは、車載電源と、車載電源から電源電圧が供給されるエンジン始動モータと、車載電源に基づいて作動電圧が供給される複数の電気負荷と、車載電源からエンジン始動モータに電源電圧が供給されることにより、車載電源が複数の電気負荷に作動電圧を供給不可能な状態を識別する電源状態識別手段と、電源状態識別手段が、供給不可能な状態を識別した場合に、車載電源から供給される電圧に基づいて所定のバックアップ電圧を供給する電源バックアップ手段と、を備え、複数の電気負荷は、電源バックアップ手段のバックアップ対象となるバックアップ対象の電気負荷と、電源バックアップ手段のバックアップ対象外となるバックアップ対象外の電気負荷と、に区分けされており、電源バックアップ手段は、バックアップ対象となる電気負荷に対して所定のバックアップ電圧を供給し、所定のバックアップ電圧が供給される電気負荷は、２つの動作モードを有し、所定の作動電圧に基づいて通常動作を行う通常動作モードと、他の電気負荷との関係において互いに動作の不整合を生じさせない整合処理を行う整合処理モードと、を有することを特徴とする。
【発明の効果】
【００１８】
本発明によれば、バックアップ対象となる少なくとも１つの電気負荷に対して、所定のバックアップ電圧、すなわち、電気負荷が所定の作動電圧に基づく通常動作を行えない電圧であって、他の電気負荷との関係において互いに動作の不整合を生じさせない整合処理のみ可能な半作動電圧を供給することにしたので、他の電気負荷との間の不整合を防止することができる。
【発明を実施するための最良の形態】
【００１９】
以下、発明を実施するための形態（以下、実施形態という）について、図面を参照し説明する。
【００２０】
図１は、本実施形態における車載電源バックアップ装置を含む車載電気システムを示す全体構成図である。
【００２１】
図１に示すように、車載電気システム１は、車載電源１０と、車載電源１０から電源電圧が供給されるエンジン始動モータ１２と、車載電源１０から作動電圧が供給される複数の電気負荷１４と、車載電源１０から電圧の供給を受け、その受けた電圧に基づいてバックアップ電圧を供給する車載電源バックアップ装置１６と、を備えている。本実施形態においては、複数の電気負荷１４は、車載電源バックアップ装置１６のバックアップ対象となる電気負荷１８ａ〜１８ｎと、車載電源バックアップ装置１６のバックアップ対象外となる電気負荷２０ａ〜２０ｎと、に区分けされている。本実施形態において特徴的な点は、車載電源バックアップ装置１６がバックアップ対象となる電気負荷１８ａ〜１８ｎに対して、電気負荷１８ａ〜１８ｎが所定の作動電圧に基づく通常動作を行えない電圧であって、他の電気負荷との関係において互いに動作の不整合を生じさせない整合処理のみ可能な半作動電圧を供給する点である。以下、詳細に説明する。
【００２２】
車載電源１０は、１２Ｖ程度の電圧を有し、エンジン始動モータ１２、複数の電気負荷１４、オルタネータ２２に電圧を供給する。
【００２３】
エンジン始動モータ１２は、エンジン２４に取り付けられており、イグニッションスイッチ２６及び自動停止自動始動装置２８のスタート操作によって、車載電源１０からの電流により作動してエンジン２４を起動させる。自動停止自動始動装置２８は、後述するように、アイドルストップ運転を実行する。
【００２４】
オルタネータ２２は、車載電源１０から供給される直流電流及びエンジン２４の回転を利用して交流発電を行う。オルタネータ２２で発電した交流電流は、内蔵されている整流回路 (rectifying circuit) で直流に変換された後、電気負荷１４に供給されると共に、余剰電流は車載電源１０に送られ充電される。
【００２５】
自動停止自動始動装置２８は、車両の停止時にエンジン２４を自動停止自動始動させるアイドルストップ処理を実行する。まず、自動停止自動始動装置２８は、エンジン２４の停止条件が成立するか否かを判定する。停止条件が成立した場合、自動停止自動始動装置２８は、イグニッションスイッチ２６のオン状態からオフ状態への移行を必要とせずに、エンジン２４の点火系や燃料噴射系を停止させる。これにより、エンジン２４は、運転状態から停止状態へ移行する。その後、自動停止自動始動装置２８は、エンジン２４の停止状態からエンジン２４の始動条件が成立するか否か判定する。始動条件が成立した場合、自動停止自動始動装置２８は、エンジン２４の点火系や燃料噴射系の作動を再開すると共に、エンジン始動モータ１２を始動させる。これにより、エンジン２４が再始動し、車両は、その後の発進に備えることができる。なお、本実施形態において、自動停止自動始動装置２８の制御信号は、車載電源バックアップ装置１６に供給されている。
【００２６】
なお、アイドルストップ処理おけるエンジン２４の停止条件は、車両の状態やドライバーの操作状態から、車両が停車中でありエンジン２４を停止しても良いと考えられる条件であり、始動条件は、車両を発進の意思が確認できる条件である。この停止条件、始動条件は、個々の車両によって異なり、どの条件であっても良い。
【００２７】
電気負荷１４は、ＥＣＵ（electronic control unit）、各種補機、電気制御されるアクセルやブレーキ（いわゆるバイワイヤシステム）等が含まれる。なお、補機には、ヘッドランプ、フォグランプ、コーナリングシグナルランプ、コーナーランプ等のランプ類、エアコン等の空調装置、オーディオ、カーナビゲーション、ＡＢＳシステム、オイルポンプ、メータ類、デフォガ、ワイパ、パワーウィンドウ等が含まれる。
【００２８】
これら複数の電気負荷１４は、上述したように、バックアップ対象となる電気負荷１８ａ〜１８ｎと、バックアップ対象外となる電気負荷２０ａ〜２０ｎに区分けされている。この区分けは、種々の観点から適宜決めることができる。例えば、電気負荷１４は、走行系、信号処理系、コンフォート系（ナビゲーション装置等）、等に大きく区分けすることができ、例えば、走行系の電気負荷１４をバックアップ対象とすることができる。また、車両の商品性、走行性、高付加価値性等に基づいて各車両に優先される商品性に従って決めることができる。車両の高付加価値性が重要視される高級車等では、例えば、ナビゲーションシステムをバックアップ対象とする。
【００２９】
以上のように区分けされ、バックアップ対象外の電気負荷２０ａ〜２０ｎは、イグニッションスイッチ２６のオンにより、車載電源１０と接続され、車載電源１０から作動電圧を受けるようになっている。一方、バックアップ対象となる電気負荷１８ａ〜１８ｎは、電気負荷１８ａ〜１８ｎと車載電源１０との間に車載電源バックアップ装置１６が介装され、車載電源１０と接続されている。電気負荷１８ａ〜１８ｎも、イグニッションスイッチ２６のオンにより、車載電源１０と接続され、車載電源１０が十分な電圧を維持している場合には、車載電源１０からそのまま作動電圧を受けるようになっている。一方、車載電源１０の電圧が低下した場合には、電気負荷１８ａ〜１８ｎは、車載電源バックアップ装置１６から所定のバックアップ電圧が供給されるようになっている。
【００３０】
以下、車載電源バックアップ装置１６の構成について説明する。図２は、車載電源バックアップ装置の構成図である。
【００３１】
図２に示すように、車載電源バックアップ装置１６は、各種の入力信号を受け付けて、車載電源１０が複数の電気負荷１４に作動電圧を供給不可能な状態を識別する制御部３０と、車載電源１０の電圧を受けて、電圧を昇圧する電圧補償回路３２と、を備えている。なお、制御部３０は、本発明の電源状態識別手段の機能を実現し、電圧補償回路３２は、本発明の電源バックアップ手段の機能を実現する。
【００３２】
本実施形態において、制御部３０は、車載電源１０からエンジン始動モータ１２に電源電圧が供給されるときに、車載電源１０が複数の電気負荷１４に作動電圧を供給不可能な状態と識別する。
【００３３】
上述したように、アイドルストップ処理が行われると、エンジンの再始動の頻度、換言すると、エンジン始動モータ１２の作動頻度が著しく増加する。停止、発進を繰り返す市街地での走行では、アイドルストップ処理が頻繁に行われ、通常の運転に比べて、エンジン始動モータ１２の作動に起因する消費電力が非常に大きくなり、車載電源１０の消耗が著しくなる。更に、エンジン２４の始動時には、オルタネータ２２の発電がなされないので、エンジン始動モータ１２は車載電源１０から供給される電圧のみで作動されることになり、エンジン２４の再始動中に車載電源１０の電圧が著しく低下する。従って、アイドルストップ処理後、車載電源１０からエンジン始動モータ１２に電源電圧が供給されるときは、車載電源１０の電圧が低下するとみなし、車載電源１０が複数の電気負荷１４に作動電圧を供給不可能と識別することができる。
【００３４】
本実施形態においては、制御部３０に、アイドルストップ処理におけるエンジンの停止信号及び始動信号を供給する。停止信号及び始動信号が入力されると、制御部３０は、車載電源１０からエンジン始動モータ１２に電源電圧が供給され、車載電源１０の電圧が低下するとみなし、車載電源１０が複数の電気負荷１４に作動電圧を供給不可能と識別する。
【００３５】
制御部３０は、供給不可能な状態と識別した場合に、電圧補償回路３２を作動させる。電圧補償回路３２は、ＤＣ−ＤＣコンバータを含んで構成され、車載電源１０から供給される電圧を昇圧し、その昇圧した電圧を電気負荷１８ａ〜１８ｎに供給する。本実施形態において、電圧補償回路３２は、所定のバックアップ電圧、すなわち、半作動電圧を電気負荷１８ａ〜１８ｎに供給する。この半作動電圧は、電気負荷が所定の作動電圧に基づく通常動作を行えない電圧であって、他の電気負荷との関係において互いに動作の不整合を生じさせない整合処理のみ可能な電圧である。
【００３６】
図３は、車載電源バックアップ装置１６が供給する半作動電圧を説明する図である。図３（Ａ）に示すように、電気負荷１４が通常動作を動作可能な所定の作動電圧Ａと電気負荷１４が動作不能な非作動電圧Ｂが示されている。車載電源１０は、電圧が維持されている場合には作動電圧Ａを電気負荷１４に供給している。しかし、エンジン２４の再始動時には、作動電圧Ａ以下、更には、非作動電圧Ｂ以下まで低下してしまう。このとき、電圧補償回路３２は、車載電源１０から供給される電圧を半作動電圧Ｃにまで昇圧する。半作動電圧Ｃは、例えば、図３（Ｂ）に示すように、作動電圧Ａより小さく非作動電圧Ｂより大きい電圧である。言い換えると、作動電圧Ａより低い中途半端な電圧を供給する。なお、半作動電圧Ｃは、作動電圧Ａより小さく非作動電圧Ｂより大きいある範囲の電圧でも良く、この範囲の所定値の電圧でも良い。例えば、ＥＣＵの作動電圧Ａが１０Ｖ以上（動作保証電圧１２Ｖ）で、非作動電圧Ｃが６Ｖ以下の場合、６Ｖ＜半作動電圧Ｃ＜１０Ｖとしても良いし、この範囲の何れかの電圧値とすることができる。
【００３７】
バックアップ対象の電気負荷１８ａ〜１８ｎは、入力電圧を監視し、半作動電圧Ｃが供給されると、電気負荷１８ａ〜１８ｎは、通常動作を行わず、他の電気負荷との関係において互いに動作の不整合を生じさせない整合処理を行う。例えば、整合処理は、他の電気負荷からの信号に基づく処理や、他の電気負荷の制御基準となるような信号を供給しない処理である。例えば、ＥＣＵであれば、メモリの保存処理等である。また、ナビゲーションシステムであれば、目的地などの情報を保持し、商品性を損なわせないために画面表示を維持させる処理が考えられる。
【００３８】
この整合処理は、他の電気負荷との関係において、矛盾を生じさせないための処理に行われる。すなわち、車載電源１０の電圧が低下した場合には、バックアップ対象外の電気負荷２０ａ〜２０ｎは、車載電源１０から作動電圧が供給されず、通常動作を行うことができない。従って、バックアップ対象の電気負荷１８ａ〜１８ｎに、バックアップ電圧として、作動電圧を供給し、電気負荷１８ａ〜１８ｎが通常動作をしてしまうと、電気負荷１８ａ〜１８ｎは、誤った判断や誤った動作をして、全体として整合が取れなくなってしまう。すなわち、ＥＣＵをバックアップ対象とし、ドア開閉センサをバックアップ対象としなかった場合、ＥＣＵは、ドア開閉センサからの検知信号が供給されないので、ドア開閉センサが故障若しくはドア開閉センサの供給信号がないことを前提とした信号処理を行ってしまう。また、ＥＣＵからドア開閉センサに制御信号を供給しても、ドア開閉センサは動作することができない。従って、本実施形態においては、バックアップ時に、バックアップ対象になったＥＣＵに対して半作動電圧を供給し、ＥＣＵは、ドア開閉センサからの検知信号が供給されなくても、ドア開閉センサに関する信号処理を行わない。また、ＥＣＵは、ドア開閉センサに制御信号を出力しない等の整合処理を行う。これにより、バックアップ対象の電気負荷１８ａ〜１８ｎとバックアップ対象外の電気負荷２０ａ〜２０ｎとの不整合を防止することができる。
【００３９】
なお、電気負荷側から述べると、バックアップ対象の電気負荷１８ａ〜１８ｎは、所定の作動電圧に基づいて通常動作を行う通常動作モードと、半作動電圧に基づいて、他の電気負荷との関係において互いに動作の不整合を生じさせない整合処理を行う整合処理モードと、を有していると説明することができる。
【００４０】
車載電源１０の電圧が回復すれば、制御部３０は、電圧補償回路３２による半作動電圧の供給を停止させる。この停止は、例えば、制御部３０に、エンジン２４の回転数の信号を入力し、制御部３０は、エンジン２４が所定の回転数以上になったときに、電圧補償回路３２による電圧補償を停止させることができる。また、エンジン２４の回転数が所定数以上になる経験的な時間、例えば、所定時間を制御部３０に設定しておき、制御部３０は、所定時間が経過したら、電圧補償回路３２による昇圧を停止するようにしても良い。
【００４１】
このように、本実施形態においては、バックアップ対象とバックアップ対象外の電気負荷とを区分け、更に、バックアップ対象の電気負荷に対しては、半作動電圧を供給する。これにより、昇圧するバックアップ電圧の容量を小さくすることができ、車載電源バックアップ装置を小規模、低コストで実現することができる。更に、半作動電圧が供給された電気負荷は、整合処理のみを行うので、バックアップがされない他の電気負荷との不整合を防止することができる。
【００４２】
以下、全体動作について説明する。図４は、全体動作を説明するフローチャートである。
【００４３】
車載電源バックアップ装置１６の制御部３０は、車載電源１０が複数の電気負荷１４に作動電圧を供給不可能な状態を識別する（Ｓ１０）。例えば、制御部３０は、自動停止自動始動装置２８から停止信号及び始動信号が入力されると、供給不可能な状態と識別する。制御部３０は、供給不可能な状態であると識別すると（Ｓ１０でＹＥＳ）、電圧補償回路３２を作動させ、電圧補償回路３２は、バックアップ電圧として半作動電圧を供給する（Ｓ１２）。バックアップ対象の電気負荷１８ａ〜１８ｎは、整合処理のみを行う（Ｓ１４）。このとき、電気負荷１８ａ〜１８ｎは、通常動作を行わず、整合処理しか行わないので、動作を行えないバックアップ対象外の電気負荷２０ａ〜２０ｂとの不整合を防止することができる。制御部３０は、車載電源１０の電圧が回復したか否か判定する（Ｓ１６）。車載電源１０の電圧が回復したら（Ｓ１６でＹＥＳ）、電圧補償回路３２による半作動電圧の供給を停止し、バックアップを終了する（Ｓ１８）。
【００４４】
＜他の実施形態＞
なお、本実施形態においては、車載電源が複数の電気負荷に作動電圧を供給不可能な状態として、車載電源がエンジン始動モータに電圧を供給する場合を中心に説明した。これ以外の場合の車載電源の電圧が低下した場合にも、車載電源バックアップ装置は、本実施形態と同様に、バックアップ対象の電気負荷に半作動電圧を供給することができる。この場合において、車載電源バックアップ装置（例えば、制御部）に車載電源の電圧値を入力し、車載電源バックアップ装置は、所定値以下になった場合に供給不可能な状態と識別することができる。また、車載電源バックアップ装置は、他の車載電源の電圧低下を示す制御信号に基づいて識別しても良い。
【００４５】
上述した実施形態では、車載電源バックアップ装置は、バックアップ対象の総ての電気負荷に半作動電圧を供給しているが、バックアップ対象の少なくとも１の電気負荷に半作動電圧を供給しても良い。この場合において、バックアップ対象の電気負荷のうち、他の電気負荷と関連せず単独で通常動作を動作可能な電気負荷に対しては、その電気負荷が通常動作を行う所定の作動電圧を供給しても好適である。このような電気負荷は、バックアップ時に通常の動作を行っても、他の電気負荷との不整合を生じさせないからである。このように、バックアップ対象となる電気負荷を、半作動電圧を供給する電気負荷と、作動電圧を供給する電気負荷とに分けることにより、効率的な制御を行うことができる。
【００４６】
また、電気負荷には、入力電圧が低下したときに、その装置自体が損傷しない程度に保証動作を行わせるフェール動作モードを有している。このフェール動作モードは、上述した整合処理と類似する。従って、バックアップ対象となる電気負荷１８ａ〜１８ｎがフェール動作モードを有している場合には、バックアップ電圧としてフェール動作モードを実行する電圧を供給しても好適である。
【００４７】
なお、本実施形態においては、車載電源がエンジン始動モータに電圧を供給する場合を中心に説明した。これ以外の場合の車載電源の電圧が低下した場合にも、車載電源バックアップ装置は、本実施形態と同様に、バックアップ対象の電気負荷に半作動電圧を供給することができる。
【図面の簡単な説明】
【００４８】
【図１】実施形態における車載電源バックアップ装置を含む車載電気システムを示す全体構成図である。
【図２】車載電源バックアップ装置の構成図である。
【図３】車載電源バックアップ装置が供給する半作動電圧を説明する図である。
【図４】全体動作を説明するフローチャートである。
【符号の説明】
【００４９】
１  車載電気システム、１０  車載電源、１２  エンジン始動モータ、１４  電気負荷、１６  車載電源バックアップ装置、１８ａ〜１８ｎ  バックアップ対象の電気負荷、２０ａ〜２０ｎ  バックアップ対象外の電気負荷、２２  オルタネータ、２４  エンジン、２６  イグニッションスイッチ、２８  自動停止自動始動装置、３０  制御部、３２  電圧補償回路。
【図１】
2006327479.tif 000003
【図２】
2006327479.tif 000004
【図３】
2006327479.tif 000005
【図４】
2006327479.tif 000006